(57)【要約】【課題】  建設費用の低減及び管理橋を利用してのポンプの点検整備による点検整備の容易性を実現することのできるポンプ付ゲート設備を提供することにある。【解決手段】  排水樋門又は排水樋管３に設けられた調圧水槽３ａの外部の上流側の両側壁側に、非門柱構造の側柱４をそれぞれ隣設して構築し、側柱４とそれに連なる下部側の水路側壁に昇降するポンプ付ゲート１の左右側端を案内するガイド溝２ｃを上下方向にそれぞれ形成し、ポンプ付ゲート１の上部側の両側にポンプ付ゲート１を昇降するゲート昇降機構５を設け、ポンプ付ゲート１のポンプ６の昇降進路上側に管理橋８を横架すると共にポンプ６の昇降進路上に位置する管理橋８の一部を開閉自在に設けた。【選択図】        図１
2006316436.tif 000002
【特許請求の範囲】
【請求項１】
排水路の一部を構成する排水樋門又は排水樋管に設けられた調圧水槽の外部の上流側の両側壁側に、非門柱構造の側柱をそれぞれ隣設して構築し、側柱とそれに連なる下部側の水路側壁に昇降するポンプ付ゲートの左右側端を案内するガイド溝を上下方向にそれぞれ形成し、ポンプ付ゲートの上部側の両側にポンプ付ゲートを昇降するゲート昇降機構を設け、ポンプ付ゲートのポンプの昇降進路上側に管理橋を横架すると共にポンプの昇降進路上に位置する管理橋の一部を開閉自在に設けたことを特徴とするポンプ付ゲート設備。
【請求項２】
排水路の一部を構成する排水樋門又は排水樋管に設けられた調圧水槽の内部の上流側の両側壁側とそれに連なる下部側の水路側壁に、昇降するポンプ付ゲートの左右側端を案内するガイド溝を上下方向にそれぞれ形成し、調圧水槽の上方の両側にポンプ付ゲートを昇降するゲート昇降機構を設け、調圧水槽の内部となるポンプ付ゲートのポンプの昇降進路上側に管理橋を横架すると共にポンプの昇降進路上に位置する管理橋の一部を開閉自在に設けたことを特徴とするポンプ付ゲート設備。
【請求項３】
ゲート昇降機構は、上向きに伸長し一端がポンプ付ゲートに連結されたワイヤロープを介してポンプ付ゲートを昇降するシリンダからなる請求項１又は請求項２記載のポンプ付ゲート設備。
【発明の詳細な説明】
【技術分野】
【０００１】
この発明は、排水路の一部を構成する排水樋門又は排水樋管にポンプ付ゲートが設置されたポンプ付ゲート設備に係り、特に、建設費用の低減及び管理橋を利用してのポンプの点検整備による点検整備の容易性を実現するポンプ付ゲート設備に関するものである。
【背景技術】
【０００２】
図７に図示するように、排水路の一部を構成する排水樋門又は排水樋管１０１に設けられた調圧水槽１０２の外部の上流側には、昇降するポンプ付ゲートを案内ガイドするための門柱構造１０３が構築されている。門柱構造１０３は左右に側柱を有し、左右の門柱の上端間には天井壁１０３ａが横架された構造からなっている。
この門柱構造の両側柱の内側には昇降するポンプ付ゲートの左右側端を案内するガイド溝が上下方向にそれぞれ形成される。又、左右の門柱の上端間の天井壁１０３ａには、ポンプ付ゲートを昇降させるための昇降機構が設置される。
また、ポンプ付ゲートの近くの水路１０４上には管理橋１０５が横架されている。管理橋１０５は昇降するポンプ付ゲートが当たらない位置に離して取り付けられている。
【発明の開示】
【発明が解決しようとする課題】
【０００３】
しかしながら、前記の門柱構造のものにあっては、扉体整備のための取り外し、ポンプ整備のための取り外しを行う場合、設備上方位置に天井壁が横架されているため、この天井壁が邪魔になって、クレーンなどを使っての作業が困難であった。
また、前記の門柱構造を構築する場合、天井壁を構築する必要があり、又天井壁に連なる側柱上部の構築などが必要となり、その結果、コンクリート数量や鉄筋の使用量が増加し、構築に手間と時間がかかり建築費用が高くなっている。
また、ポンプの昇降の邪魔にならない位置に管理橋は設けられていたが、ポンプの点検に際しては、水路内に降り実施するか所定位置まで引き上げ、作業足場を組み立てて作業していた。
【０００４】
この発明は、上記のような課題に鑑み、その課題を解決すべく創案されたものであって、その目的とするところは、建設費用の低減及び管理橋を利用してのポンプの点検整備による点検整備の容易性を実現することのできるポンプ付ゲート設備を提供することにある。
【課題を解決するための手段】
【０００５】
以上の目的を達成するために、請求項１の発明は、排水路の一部を構成する排水樋門又は排水樋管に設けられた調圧水槽の外部の上流側の両側壁側に、非門柱構造の側柱をそれぞれ隣設して構築し、側柱とそれに連なる下部側の水路側壁に昇降するポンプ付ゲートの左右側端を案内するガイド溝を上下方向にそれぞれ形成し、ポンプ付ゲートの上部側の両側にポンプ付ゲートを昇降するゲート昇降機構を設け、ポンプ付ゲートのポンプの昇降進路上側に管理橋を横架すると共にポンプの昇降進路上に位置する管理橋の一部を開閉自在に設けた手段よりなるものである。
【０００６】
また、請求項２の発明は、排水路の一部を構成する排水樋門又は排水樋管に設けられた調圧水槽の内部の上流側の両側壁側とそれに連なる下部側の水路側壁に、昇降するポンプ付ゲートの左右側端を案内するガイド溝を上下方向にそれぞれ形成し、調圧水槽の上方の両側にポンプ付ゲートを昇降するゲート昇降機構を設け、調圧水槽の内部となるポンプ付ゲートのポンプの昇降進路上側に管理橋を横架すると共にポンプの昇降進路上に位置する管理橋の一部を開閉自在に設けた手段よりなるものである。
【発明の効果】
【０００７】
以上の記載より明らかなように、請求項１、請求項２の発明に係るポンプ付ゲート設備によれば、扉体整備のための取り外し、ポンプ整備のための取り外しを行う場合、従来のように設備上方位置に天井壁がないため、クレーン、荷役機器の使用や配置が容易になり施工性を向上させることができる。
また、天井壁及び天井壁に連なる側柱上部の構築が不要となるため、コンクリート数量や鉄筋の使用量の低減、構築に作業手間がかかる天井壁を無くすことで工数削減となり、建築費用の削減及び建築作業時間の短縮を図ることができる。
また、管理橋の上にゲートから取り外したポンプを置くことができ、管理橋を利用してポンプの点検を行うことができるので、従来のように水路内に降り実施するか所定位置まで引き上げたり作業足場を組み立てて作業する必要がなく、点検整備の容易性を実現することができる。
【０００８】
また、請求項２のポンプ付ゲート設備によれば、上記の効果に加えて、調圧水槽の側壁を利用できるので、側柱の構築を不要にでき、コンクリート数量や鉄筋の使用量の低減をさらに図ることができる。
【０００９】
また、請求項３の場合には、シリンダが上向きに伸長することで、ゲートを上昇させることができ、シリンダが下向きに収縮することで、ゲートとポンプの自重を利用してポンプ付ゲートを下降させて全閉させることができる。
【００１０】
また、請求項４の場合には、ラック桁とラック式昇降機との噛み合いを利用して、ポンプ付ゲートを確実に昇降させることができる。
【発明を実施するための最良の形態】
【００１１】
以下、図面に記載の発明を実施するための最良の形態に基づいて、この発明をより具体的に説明する。
【００１２】
〔最良の形態−１〕
ここで、図１はポンプ付ゲート設備の側断面図、図２は左半分側が図１のＡ矢視図で右半分側が図１のＢ矢視図、図３（Ａ）はポンプ付ゲート設備が取り付けられる構造物の側断面図、図３（Ｂ）は左半分側が同図（Ａ）のＡ矢視図で右半分側が同図（Ａ）のＢ矢視図、図４はクレー作業の側断面図である。
【００１３】
図において、ポンプ付ゲート１は、排水路の一部を構成する暗渠の排水樋門又は排水樋管３に設けられた調圧水槽３ａの外部の隣設する上流側水路２ａの水を、下流側水路２ｂ側となる排水樋門又は排水樋管３の流入側に設けられた調圧水槽３ａ側に強制排出するもので、ポンプ６がゲート１ａに取り付けられた構造からなり、水路２に対してその横断方向に水路２を遮断するようにして設置されている。ポンプ付ゲート１は扉体としてのゲート１ａが昇降することにより、水路２を開閉する構造になっている。排水樋門又は排水樋管３は、河川堤防を横断して設けられる暗渠構造物で、排水樋管は排水樋門に比べて小さい暗渠である。
【００１４】
ポンプ付ゲート１は、自然排水時にはゲート１ａを上昇させて排水し、強制排水時にはゲート１ａを閉じた状態でゲート１ａに取り付けられたポンプ６を利用して、ゲート１ａの上流側水路２ａの水を下流側水路２ｂとなる暗渠の排水樋門又は排水樋管３の流入側に設けられた調圧水槽３ａ側に強制排水する構造になっている。
【００１５】
ゲート１ａは、四角形で板状のスキンプレート、スキンプレートの上流側水路２ａの臨む側の表面に取り付けられた縦横の補強桁などから構成されている。ゲート１ａのスキンプレートはこれらの補強桁によって補強されて剛性が高められている。
【００１６】
ポンプ付ゲート１が設置された水路２の左右両側面、つまり排水樋門又は排水樋管３の流入側に設けられた調圧水槽３ａの外部の上流側の両側壁側には、非門柱構造の側柱４がそれぞれ調圧水槽３ａに隣設して構築されている。即ち、左右の側柱４は調圧水槽３ａの左右両側壁に隣設して一体的に構築されている。
【００１７】
非門柱構造の側柱４は、門柱構造のように左右の側柱の上端間に天井壁がないため、構造が簡略されており、施工コストが大幅に削減される。また、これまではポンプ付ゲート１をクレーンなどを使って取り外しを行おうとしても、天井壁が妨げとならないようにクレーン作業を想定した門柱高さにするか別の機材を使用しなければならなかったが、図５に示すように天井壁がないためクレーンａの使用が可能となり、ポンプ付ゲート１の取り外し作業を効率的に行うことが可能となる。
【００１８】
この左右の側柱４とそれに連なる下部側の水路側壁には、昇降するポンプ付ゲート１の左右側端を昇降摺動案内するガイド溝２ｃが上下方向にそれぞれ形成されている。ゲート１ａはこのガイド溝２ｃに沿って昇降する構造になっている。ゲート１ａの左右側端にはガイド溝２ｃとの摺動抵抗を少なくする水路２の横断方向に平行な水平軸回りのローラー１ｂが上下にそれぞれ設けられていて、ゲート１ａが昇降する場合にガイド溝２ｃに沿ってスムーズに昇降できるようになっている。
【００１９】
ポンプ付ゲート１の上部側の両側にはポンプ付ゲート１を昇降するゲート昇降機構５が設けられている。ゲート昇降機構５は、上向きに伸長し一端がポンプ付ゲート１に連結されたワイヤロープ５ａを介してポンプ付ゲート１を昇降するシリンダ５ｂから構成されている。
【００２０】
ポンプ付ゲート１の上部側となる左右の側柱４の上部の間には、ゲート１ａの幅方向に取付桁５ｃが横設されている。取付桁５ｃはその両端が左右の側柱４の上部側に連結支持されており、シリンダ５ｂはこの取付桁５ｃの左右両側に上向きにそれぞれ取り付けられている。各シリンダ５ｂはその上部側が例えば水平軸回りのヒンジ構造で取り付けられている。
【００２１】
各シリンダ５ｂの伸縮するピストンロッドの先端にはシーブ５ｄが取り付けられている。各シーブ５ｄはゲート１ａの幅方向の水平軸回りに回転自在になっている。左右の各シーブ５ｄには一端がポンプ付ゲート１にそれぞれ連結されたワイヤロープ５ａの上向きに延びた中間側が回装され、ワイヤロープ５ａの上向きに延びた中間側は各シーブ５ｄの円形の上半分側で下向きに反転し下方に延び、下方に延びたワイヤロープ５ａの他端はシリンダ５ｂの下方側の側柱４の下部の固定具５ｅに連結されて固定されている。
【００２２】
シリンダ５ｂのピストンロッドが上向きに伸長することでシーブ５ｄは上方に移動し、シーブ５ｄが上方に移動することでワイヤロープ５ａの中間側は上方に押し上げられる。このとき、ワイヤロープ５ａの他端は動かない側柱４の下部の固定具５ｅに連結されて固定されているため、ワイヤロープ５ａの中間側が上方に押し上げられるとこれに追従して、ワイヤロープ５ａの一端側は上方に移動し、上方に移動するワイヤロープ５ａの一端側により、この一端側が連結されたポンプ付ゲート１を引き上げる機構になっている。
【００２３】
また、これと逆に、シリンダ５ｂの伸長していたピストンロッドが下向きに収縮することでシーブ５ｄは下方に移動し、シーブ５ｄが下方に移動することでワイヤロープ５ａの中間側はワイヤロープ５ａの一端にはポンプ付ゲート１の自重が作用しているため、シーブ５ｄと共に下方に下がる。このとき、ワイヤロープ５ａの他端は動かない側柱４の下部の固定具５ｅに連結されて固定されているため、ワイヤロープ５ａの中間側が下方に下がるとこれに追従して、ワイヤロープ５ａの一端側は下方に移動し、下方に移動するワイヤロープ５ａの一端側により、この一端側が連結されたポンプ付ゲート１を引き下げられる機構になっている。
【００２４】
一端がポンプ付ゲート１に連結され他端が固定されたワイヤロープ５ａの中間側をシリンダ５ｂが上向きに押し上げ又下向きに下げるので、ポンプ付ゲート１は、シリンダ５ｂのピストンロッドの伸縮速度の２倍の速度で昇降する。
【００２５】
ゲート１ａの上端には、ゲート１ａを昇降させるためのワイヤロープ５ａの一端側が連結される連結具１ｃが取り付けられている。連結具１ｃは例えば上端の左右両側に２基取り付けられている。
【００２６】
水路２の上流側水路２ａに臨む側のゲート１ａの下部の表面には、上流側水路２ａに向けて突出した状態でポンプ６がゲート１ａに取り付けられている。ポンプ６はゲート１ａが閉じられた状態でゲート１ａの上流側水路２ａの水を下流側水路２ｂ側となる排水樋門又は排水樋管３の流入側に設けられた調圧水槽３ａ側に向けて強制排水する機能を果たす。図面ではポンプ６はゲート１ａの下部の左右両側に例えば２基取り付けられている。ポンプ６には例えば軸流ポンプが使用される。
【００２７】
ポンプ６は例えば図１に図示されるような方法でゲート１ａに取り付けられる。例えば図１に示す場合には、導水管６ａの後端の周縁側はゲート１ａの表面に取り付けられたポンプ取付板１ｄに形成された図示しない孔にボルトなどによって一体的に取り付けられる。
【００２８】
ポンプ６の導水管６ａの後端側には開閉扉７が取り付けられている。開閉扉７には例えばフラップゲートが使用されている。例えばフラップゲートからなる開閉扉７は、ポンプ６が表面に取り付けられたポンプ取付板１ｄの裏面側に背中合わせに、下流側水路２ｂ側となる排水樋門又は排水樋管３の流入側に設けられた調圧水槽３ａ側に向けて取り付けられている。例えばフラップゲートからなる開閉扉７はゲート１ａのスキンプレートに形成された開口部を通じて調圧水槽３ａに臨んでいる。
【００２９】
開閉扉７は、ポンプ取付板１ｄの裏面側に取り付けられた吐出管７ａの下流側水路２ｂ側となる排水樋門又は排水樋管３の流入側に設けられた調圧水槽３ａ側に向けて臨んでいる先端側表面に開閉自在に取り付けられている。例えばフラップゲートからなる開閉扉７は、その上端部が調圧水槽３ａに臨む吐出管７ａの上方のポンプ取付板１ｄの裏面側にヒンジ構造７ｂで連結されている。
【００３０】
例えばフラップゲートからなる開閉扉７は、上端のヒンジ構造７ｂを回転中心として、ゲート１ａの下流側水路２ｂ側となる排水樋門又は排水樋管３の流入側に設けられた調圧水槽３ａ側に向けて開き、ゲート１ａの上流側水路２ａに向けて閉じる、所謂逆止弁の構造になっている。開閉扉７は、調圧水槽３ａの水圧が高い場合には閉じて調圧水槽３ａからの逆流を防ぎ、ポンプ６の駆動による強制排水時には、ポンプ６からの吐出排水の水圧によって開いてゲート１ａの上流側水路２ａの水を調圧水槽３ａ側に排水できるようになっている。
【００３１】
吐出管７ａ及び閉じた状態の開閉扉７は、ゲート１ａの内部側つまりゲート１ａの厚み側となるポンプ取付板１ｄとスキンプレートとの間内に収容されている。ゲート１ａの内部側に取り付けられた吐出管７ａ及び閉じた状態の開閉扉７は上下に昇降するゲート１ａの厚み内に収まっていて、ゲート１ａが昇降する際に吐出管７ａ及び開閉扉７が昇降の妨げとなることはない。
【００３２】
管理橋８は、ポンプ付ゲート１を管理する場合に利用される通路で、ポンプ付ゲート１の上流側水路２ａの上部間に水路２を横断して設置されている。管理橋８は金属製の方形状の平面型の床盤８ａと床盤８ａの幅片側の側端に設けられた安全用の手摺り８ｂから構成されている。
【００３３】
上流側水路２ａに横断方向に設置された管理橋８は、その床盤８ａの幅方向の片方側つまり手摺り８ｂが取り付けられた側はその下方のポンプ６の導水管６ａの吸入口６ｂよりも更に上流側水路２ａ側に延びている。また、床盤８ａの幅方向の他方側は上流側水路２ａのゲート１ａの正面近くまで延びているが、ゲート１ａの正面との間に隙間があり、床盤８ａは昇降するゲート１ａに接触しないように設置されている。
【００３４】
ポンプ６の導水管６ａの昇降進路上となる管理橋８の床盤８ａの下流側寄り部分は、自然排水を行うときやポンプ６の点検の際にゲート１ａを引き上げる場合に管理橋８の床盤８ａが邪魔にならないように上向き回りに開いて、ゲート１ａと一体となって上昇するポンプ６の導水管６ａの通過を妨げない構造になっている。
【００３５】
即ち、管理橋８の床盤８ａのポンプ６の真上側となる下流側寄り部分には例えば金属製の開閉蓋８ｃが一部取り付けられている。開閉蓋８ｃは、水路２の中央の両側にそれぞれ取り付けられ、両側にそれぞれ取り付けられた開閉蓋８ｃは水路２の幅端部が例えばヒンジ構造によって床盤８ａに連結されていて、このヒンジ構造を回動中心として上向きに開動して開く構造になっている。
【００３６】
点検などによりポンプ付ゲート１を引き上げる場合には、管理橋８の床盤８ａの開閉蓋８ｃを事前に開いておくことによって、ゲート１ａと一体となって上昇するポンプ６の導水管６ａの進路の邪魔になるのを回避するようになっている。管理橋８の床盤８ａ上に引き上げられたポンプ６は、管理橋８の上にあるため作業員は別途に足場を作ることなく、この管理橋８を利用して容易にポンプ６の点検作業を行うことが可能となる。
【００３７】
管理橋８の床盤８ａの側端がゲート１に接触しないように床盤８ａの側端とゲート１ａとが設置される調圧水槽３ａの外部表面との間には隙間が形成され、点検時にこの隙間から転落する危険があるので、この隙間部分には上向きに開動する安全カバー８ｄが取り付けられて、安全が図られている。
【００３８】
次に、上記発明を実施するための最良の形態の構成に基づく作用について以下説明する。
ポンプ６の点検や自然排水のためにゲート１ａを上昇させる場合には、ゲート昇降機構５のシリンダ５ｂを上向きに伸長させる。シリンダ５ｂのピストンロッドが上向きに伸長すると、その先端に取り付けられているシーブ５ｄも上側に移動する。この上側に移動するシーブ５ｄの円形上半分側には、ワイヤロープ５ａの中間側が回装されている。このため、上側に移動するシーブ５ｄはワイヤロープ５ａの中間側を上向きに押し上げる。
【００３９】
このとき、ワイヤロープ５ａの他端は動かない側柱４の下部の固定具５ｅに連結されて固定されているため、ワイヤロープ５ａの中間側が上方に押し上げられると、これに追従してワイヤロープ５ａの一端側は上方に移動し、上方に移動するワイヤロープ５ａの一端側により、この一端側が連結されたポンプ付ゲート１は引き上げられる。
【００４０】
シーブ５ｄは上向きで反転されるワイヤロープ５ａの中間側を押し上げるため、ワイヤロープ５ａの一端が連結されたポンプ付ゲート１は、シリンダ５ｂのピストンロッドの伸長速度の２倍の速度で上昇する。
【００４１】
ゲート１ａの上昇に際して、ポンプ６の点検などのために、管理橋８の床盤８ａの上側に引き上げたい場合には、上昇するゲート１ａに取り付けられたポンプ６がその真上側の管理橋８の床盤８ａに当たらないように、ポンプ６の昇降進路上に位置する開閉蓋８ｃを事前に開けておく。また、ゲート１ａの真上側に取り付けられている安全カバー８ｄも同様に開けておく。
【００４２】
上昇するゲート１ａに取り付けられたポンプ６は開閉蓋８ｃが開けられた管理橋８の床盤８ａの開口部から床盤８ａに当たることなく床盤８ａの上側に移動することができる。そして、床盤８ａの上側に移動したポンプ６は、管理橋８を利用して点検などが行われることになる。
【００４３】
また、上昇していたゲート１ａを下降させる場合には、シリンダ５ｂの伸長していたピストンロッドを収縮させる。ピストンロッドが下向きに収縮することでシーブ５ｄは下方に移動し、シーブ５ｄが下方に移動することでワイヤロープ５ａの中間側はワイヤロープ５ａの一端にはポンプ付ゲート１の自重が作用しているため、シーブ５ｄと共に下方に下がる。
【００４４】
このとき、ワイヤロープ５ａの他端は動かない側柱４の下部の固定具５ｅに連結されて固定されているため、ワイヤロープ５ａの中間側が下方に下がると、これに追従してワイヤロープ５ａの一端側は下方に移動し、下方に移動するワイヤロープ５ａの一端側により、この一端側が連結されたポンプ付ゲート１は引き下げられる。ポンプ付ゲート１は、ゲート１ａ及びポンプ６の重さのためにその自重によって下降して水路２を全閉する。
【００４５】
シーブ５ｄは上向きで反転されるワイヤロープ５ａの中間側を押し支えるため、ワイヤロープ５ａの一端が連結されたポンプ付ゲート１は、シリンダ５ｂのピストンロッドの伸長速度の２倍の速度で下降する。
【００４６】
ポンプ６の点検などのために、管理橋８の床盤８ａの開閉蓋８ｃが開いていた場合には、ゲート１ａの下降後に開いていた開閉蓋８ｃを閉じる。同様に開いていた安全カバー８ｄを閉じる。
【００４７】
〔最良の形態−２〕
ここで、図５はポンプ付ゲート設備の側断面図、図６は左半分側が図５のＡ矢視図で右半分側が図５のＢ矢視図である。
【００４８】
図において、ポンプ付ゲート１１は、排水路の一部を構成する暗渠の排水樋門又は排水樋管１３に設けられた調圧水槽１３ａの外部の隣設する上流側水路１２ａの水を、下流側水路１２ｂ側となる排水樋門又は排水樋管１３の流入側に設けられた調圧水槽１３ａ側に強制排出するもので、ポンプ１６がゲート１１ａに取り付けられた構造からなり、水路１２に対してその横断方向に水路１２を遮断するようにして設置されている。ポンプ付ゲート１１は扉体としてのゲート１１ａが昇降することにより、水路１２を開閉する構造になっている。排水樋門又は排水樋管１３は、河川堤防を横断して設けられる暗渠構造物で、排水樋管は排水樋門に比べて小さい暗渠である。
【００４９】
ポンプ付ゲート１１は、自然排水時にはゲート１１ａを上昇させて排水し、強制排水時にはゲート１１ａを閉じた状態でゲート１１ａに取り付けられたポンプ１６を利用して、ゲート１１ａの上流側水路１２ａの水を下流側水路１２ｂとなる暗渠の排水樋門又は排水樋管１３の流入側に設けられた調圧水槽１３ａ側に強制排水する構造になっている。
【００５０】
ゲート１１ａは、四角形で板状のスキンプレート、スキンプレートの上流側水路１２ａの臨む側の表面に取り付けられた縦横の補強桁などから構成されている。ゲート１１ａのスキンプレートはこれらの補強桁によって補強されて剛性が高められている。
【００５１】
ポンプ付ゲート１１は、排水樋門又は排水樋管１３の流入側に設けられた調圧水槽１３ａの内部に昇降自在に設置されている。このため、従来のように調圧水槽１３ａの外部に門柱構造を構築する必要がなく、施工コストが大幅に削減される。また、これまではポンプ付ゲート１１をクレーなどを使って取り外しを行おうとしても、門柱構造の天井壁が妨げとならないようにクレーン作業を想定した門柱高さにするか別の機材を使用しなければならなかったが、ポンプ付ゲート１１の真上部にあるゲート昇降機構１５を取り付ける架台１５ｅはゲート昇降機構１５と共に取り外しできるためクレーの使用が可能となり、ポンプ付ゲート１１の取り外し作業を効率的に行うことが可能となる。
【００５２】
ポンプ付ゲート１１が設置された調圧水槽１３ａの内部の上流側の左右の両側側壁とそれに連なる下部側の水路側壁には、昇降するポンプ付ゲート１１の左右側端を昇降摺動案内するガイド溝１２ｃが上下方向にそれぞれ形成されている。ゲート１１ａはこのガイド溝１２ｃに沿って昇降する構造になっている。ゲート１１ａの左右側端にはガイド溝１２ｃとの摺動抵抗を少なくする水路１２の横断方向に平行な水平軸回りのローラー１１ｂが上下にそれぞれ設けられていて、ゲート１１ａが昇降する場合にガイド溝１２ｃに沿ってスムーズに昇降できるようになっている。
【００５３】
調圧水槽１３ａの上方の外部の両側にはポンプ付ゲート１１を昇降するゲート昇降機構１５が設けられている。ゲート昇降機構１５は、ポンプ付ゲート１１の上端の両側に上向きに伸延されたラック桁１５ａと噛み合ってポンプ付ゲート１１を昇降するラック式昇降機１５ｂから構成されている。
【００５４】
ラック式昇降機１５ｂは調圧水槽１３ａの上方の外部の両側にそれぞれ設置されている。ラック式昇降機１５ｂにはラック桁１５ａと噛み合う回転するピニオンが取り付けられている。また、このピニオンを回転させるハンドル１５ｃがラック式昇降機１５ｂに取り付けられている。左右のラック式昇降機１５ｂは連動軸１５ｄで連動連結されていて、ハンドル１５ｃを回すと左右のラック式昇降機１５ｂのピニオンは同一速度で同一方向回りに回転する。
【００５５】
ハンドル１５ｃでピニオンを一定方向に回転させると、ピニオンと噛み合うラック桁１５ａは上方に移動し、上方に移動するラック桁１５ａの下端側がポンプ付ゲート１１の上端に連結されていることにより、この下端側が連結されたポンプ付ゲート１１を引き上げる機構になっている。
【００５６】
また、ハンドル１５ｃでピニオンを上記と逆向き方向に回転させると、ピニオンと噛み合うラック桁１５ａは下方に移動し、下方に移動するラック桁１５ａの下端側がポンプ付ゲート１１の上端に連結されていることにより、この下端側が連結されたポンプ付ゲート１１を引き下げる機構になっている。
【００５７】
ゲート１１ａの上端には、ゲート１１ａを昇降させるためのラック桁１５ａの下端側が連結される連結具１１ｃが取り付けられている。連結具１１ｃは例えば上端の左右両側に２基取り付けられている。
【００５８】
水路１２の上流側水路１２ａに臨む側のゲート１１ａの下部のポンプ取付箇所の表面は開口されており、この開口された内部にはポンプ１６の先端がゲート１１ａの表面から上流側水路１２ａに突出しない状態で取り付けられている。またポンプ１６は下流側水路１２ｂ側となる排水樋門又は排水樋管１３の流入側に設けられた調圧水槽１３ａ側に向けて突出した状態で垂直なゲート１１ａに対して略水平に取り付けられている。ポンプ１６はゲート１１ａが閉じられた状態でゲート１１ａの上流側水路１２ａの水を調圧水槽１３ａ側に向けて強制排水する機能を果たす。図面ではポンプ１６はゲート１１ａの下部の左右両側に例えば２基取り付けられている。ポンプ１６には例えば軸流ポンプが使用される。
【００５９】
ポンプ１６は、例えば図６に図示されるような方法でゲート１１ａに取り付けられる。このように、ポンプ１６の導水管１６ａはポンプ取付板１１ｄを介してゲート１１ａの下流側水路１２ｂ側となる排水樋門又は排水樋管１３の流入側に設けられた調圧水槽１３ａ側に臨む表面に取り付けられている。
【００６０】
ポンプ１６の導水管１６ａの後端側には開閉扉１７が取り付けられている。開閉扉１７には例えばフラップゲートが使用されている。例えばフラップゲートからなる開閉扉１７は、下流側水路１２ｂ側となる排水樋門又は排水樋管１３の流入側に設けられた調圧水槽１３ａ側に向けて取り付けられている。
【００６１】
開閉扉１７は、導水管１６ａの後端側に取り付けられた吐出管１７ａの下流側水路１２ｂ側となる排水樋門又は排水樋管１３の流入側に設けられた調圧水槽１３ａ側に向けて臨んでいる先端側表面に開閉自在に取り付けられている。例えばフラップゲートからなる開閉扉１７は、その上端部が調圧水槽１３ａに臨む導水管１６ａの後端と吐出管１７ａとを接合するフランジの上部にヒンジ構造１７ｂで連結されている。
【００６２】
例えばフラップゲートからなる開閉扉１７は、上端のヒンジ構造１７ｂを回転中心として、ゲート１１ａの下流側水路１２ｂ側となる排水樋門又は排水樋管１３の流入側に設けられた調圧水槽１３ａ側に向けて開き、ゲート１１ａの上流側水路１２ａに向けて閉じる、所謂逆止弁の構造になっている。開閉扉１７は、調圧水槽１３ａ側の水圧が高い場合には閉じて下流側水路１２ｂからの逆流を防ぎ、ポンプ１６の駆動による強制排水時には、ポンプ１６からの吐出排水の水圧によって開いてゲート１１ａの上流側水路１２ａの水を調圧水槽１３ａ側に排水できるようになっている。
【００６３】
管理橋１８は、ポンプ付ゲート１１を管理する場合に利用される通路で、ポンプ付ゲート１１の下流側水路１２ｂ側となる排水樋門又は排水樋管１３の流入側に設けられた調圧水槽１３ａの内部の上部間に水路１２を横断して設置されている。また、管理橋１８は、調圧水槽１３ａの外部の上流側水路１２ａの上部間に水路１２を横断して設置されている。
【００６４】
調圧水槽１３ａの内部に設置された管理橋１８は金属製の方形状の平面型の床盤１８ａからなり、調圧水槽１３ａの外部に設置された管理橋１８は床盤１８ａと床盤１８ａの幅片側の側端に設けられた安全用の手摺り１８ｂから構成されている。
【００６５】
調圧水槽１３ａの内部に横断方向に設置された管理橋１８は、その床盤１８ａの幅方向の片方側は調圧水槽１３ａの下流側の内壁に接している。また、床盤１８ａの幅方向の他方側は上流側のゲート１１ａの近くまで延びているが、ゲート１１ａとの間に隙間があり、床盤１８ａは昇降するゲート１１ａに接触しないように設置されている。
【００６６】
ポンプ１６の導水管１６ａの昇降進路上となる管理橋１８の床盤１８ａの上流側寄り部分は、自然排水を行うときやポンプ１６の点検の際にゲート１１ａを引き上げる場合に管理橋１８の床盤１８ａが邪魔にならないように上向き回りに開いて、ゲート１１ａと一体となって上昇するポンプ１６の導水管１６ａの通過を妨げない構造になっている。
【００６７】
即ち、管理橋１８の床盤１８ａのポンプ１６の真上側となる上流側寄り部分には例えば金属製の開閉蓋１８ｃが一部取り付けられている。開閉蓋１８ｃは、水路１２の中央の両側にそれぞれ取り付けられ、両側にそれぞれ取り付けられた開閉蓋１８ｃは水路１２の幅端部が例えばヒンジ構造によって床盤１８ａに連結されていて、このヒンジ構造を回動中心として上向きに開動して開く構造になっている。
【００６８】
点検などによりポンプ付ゲート１１を引き上げる場合には、管理橋１８の床盤１８ａの開閉蓋１８ｃを事前に開いておくことによって、ゲート１１ａと一体となって上昇するポンプ１６の導水管１６ａの進路の邪魔になるのを回避するようになっている。管理橋１８の床盤１８ａ上に引き上げられたポンプ１６は、管理橋１８の上にあるため作業員は別途に足場を作ることなく、この管理橋１８を利用して容易にポンプ１６の点検作業を行うことが可能となる。
【００６９】
管理橋１８の床盤１８ａの側端がゲート１１に接触しないように床盤１８ａの側端とゲート１１ａとが設置される調圧水槽１３ａの外部表面との間には隙間が形成され、点検時にこの隙間から転落する危険があるので、この隙間部分には上向きに開動する図示しない安全カバーが必要に応じて取り付けられる。
【００７０】
次に、上記発明を実施するための最良の形態の構成に基づく作用について以下説明する。
ポンプ１６の点検や自然排水のためにゲート１１ａを上昇させる場合には、ゲート昇降機構１５のラック式昇降機１５ｂのハンドル１５ｃを一定方向に回してラック桁１５ａを上向きに移動させる。ハンドル１５ｃを一定方向に回すと、連動軸１５ｄで連動連結された左右のラック式昇降機１５ｂは、ラック桁１５ａと噛み合うピニオンが同一速度で同一方向回りに回転する。
【００７１】
ハンドル１５ｃで左右のラック式昇降機１５ｂのピニオンを一定方向に回転させると、左右のラック式昇降機１５ｂのピニオンと噛み合う左右のラック桁１５ａは上方に移動し、上方に移動するラック桁１５ａの下端側がポンプ付ゲート１１の上端に連結されていることにより、この下端側が連結されたポンプ付ゲート１１は引き上げられる。
【００７２】
ゲート１１ａの上昇に際して、ポンプ１６の点検などのために、管理橋１８の床盤１８ａの上側に引き上げたい場合には、上昇するゲート１１ａに取り付けられたポンプ１６がその真上側の管理橋１８の床盤１８ａに当たらないように、ポンプ１６の昇降進路上に位置する開閉蓋１８ｃを事前に開けておく。また、ゲート１１ａの真上側に必要に応じて取り付けられている安全カバーも同様に開けておく。
【００７３】
上昇するゲート１１ａに取り付けられたポンプ１６は開閉蓋１８ｃが開けられた管理橋１８の床盤１８ａの開口部から床盤１８ａに当たることなく床盤１８ａの上側に移動することができる。そして、床盤１８ａの上側に移動したポンプ１６は、管理橋１８を利用して点検などが行われることになる。
【００７４】
また、上昇していたゲート１１ａを下降させる場合には、ゲート昇降機構１５のラック式昇降機１５ｂのハンドル１５ｃを上記と逆方向に回してラック桁１５ａを下向きに移動させる。ハンドル１５ｃを逆方向に回すと、連動軸１５ｄで連動連結された左右のラック式昇降機１５ｂは、ラック桁１５ａと噛み合うピニオンが同一速度で同一の逆方向回りに回転する。
【００７５】
ハンドル１５ｃで左右のラック式昇降機１５ｂのピニオンを逆方向に回転させると、左右のラック式昇降機１５ｂのピニオンと噛み合う左右のラック桁１５ａは下方に移動し、下方に移動するラック桁１５ａの下端側がポンプ付ゲート１１の上端に連結されていることにより、この下端側が連結されたポンプ付ゲート１１は引き下げられる。
【００７６】
ポンプ１６の点検などのために、管理橋１８の床盤１８ａの開閉蓋１８ｃが開いていた場合には、ゲート１１ａの下降後に開いていた開閉蓋１８ｃを閉じる。同様に開いていた必要に応じて設けられた安全カバーを閉じる。
【００７７】
なお、この発明は上記発明を実施するための最良の形態に限定されるものではなく、この発明の精神を逸脱しない範囲で種々の改変をなし得ることは勿論である。例えば上記の最良の形態−１においては、ゲート昇降機構５にワイヤロープ５ａを使用した場合で説明したがこれに代えて帯状のベルトを使用してもよい。又ワイヤロープ５ａを介せずにシリンダ５ｂとポンプ付ゲート１を直接連結しても良い。また、上記の最良の形態−２においては、ゲート昇降機構１５として、ポンプ付ゲート１１の上端の両側に上向きに伸延されたラック桁１５ａと噛み合ってポンプ付ゲート１１を昇降するラック式昇降機１５ｂから構成されている場合で説明したがこれに限定されるものではなく、最良の形態−１で説明した、上向きに伸長し一端がポンプ付ゲート１に連結されたワイヤロープ５ａを介してポンプ付ゲート１を昇降するシリンダ５ｂから構成されていてもよい。この場合には、シリンダ５ｂはラック式昇降機５ｂが設置された場所に同様に設置される。
【図面の簡単な説明】
【００７８】
【図１】この発明を実施するための最良の形態−１を示すポンプ付ゲート設備の側断面図である。
【図２】左半分側が図１のＡ矢視図で右半分側が図１のＢ矢視図である。
【図３】（Ａ）はこの発明を実施するための最良の形態−１を示すポンプ付ゲート設備が取り付けられる構造物の側断面図である。  （Ｂ）は左半分側が同図（Ａ）のＡ矢視図で右半分側が同図（Ａ）のＢ矢視図である。
【図４】この発明を実施するための最良の形態−１を示すクレー作業の側断面図である。
【図５】この発明を実施するための最良の形態−２を示すポンプ付ゲート設備の側断面図である。
【図６】左半分側が図５のＡ矢視図で右半分側が図５のＢ矢視図である。
【図７】（Ａ）は従来のポンプ付ゲート設備が取り付けられる構造物の側断面図である。  （Ｂ）は左半分側が同図（Ａ）のＡ矢視図で右半分側が同図（Ａ）のＢ矢視図である。
【符号の説明】
【００７９】
１    ポンプ付ゲート
１ａ  ゲート
１ｂ  ローラー
１ｃ  連結具
１ｄ  ポンプ取付板
２    水路
２ａ  上流側水路
２ｂ  下流側水路
２ｃ  ガイド溝
３    排水樋門又は排水樋管
３ａ  調圧水槽
４    側柱
５    ゲート昇降機構
５ａ  ワイヤロープ
５ｂ  シリンダ
５ｃ  取付桁
５ｄ  シーブ
５ｅ  固定具
６    ポンプ
６ａ  導水管
６ｂ  吸入口
７    開閉扉
７ａ  吐出管
７ｂ  ヒンジ構造
８    管理橋
８ａ  床盤
８ｂ  手摺り
８ｃ  開閉蓋
８ｄ  安全カバー
ａ    クレーン
１１    ポンプ付ゲート
１１ａ  ゲート
１１ｂ  ローラー
１１ｃ  連結具
１１ｄ  ポンプ取付板
１２    水路
１２ａ  上流側水路
１２ｂ  下流側水路
１２ｃ  ガイド溝
１３    排水樋門又は排水樋管
１３ａ  調圧水槽
１５    ゲート昇降機構
１５ａ  ラック桁
１５ｂ  ラック式昇降機
１５ｃ  ハンドル
１５ｄ  連動軸
１５ｅ  架台
１６    ポンプ
１６ａ  導水管
１７    開閉扉
１７ａ  吐出管
１７ｂ  ヒンジ構造
１８    管理橋
１８ａ  床盤
１８ｂ  手摺り
１８ｃ  開閉蓋
【図１】
2006316436.tif 000003
【図２】
2006316436.tif 000004
【図３】
2006316436.tif 000005
【図４】
2006316436.tif 000006
【図５】
2006316436.tif 000007
【図６】
2006316436.tif 000008
【図７】
2006316436.tif 000009